(57)【特許請求の範囲】
【請求項１】
寝具を載置するベッド本体の少なくとも一方の側部に取り付けられ、該ベッド本体よりも上に突出することにより前記寝具のずれを防止するベッド用のサイドガード装置であって、
前記ベッド本体の側部に配されベッド長さ方向にのびる縦枠材の上面に載置される基片の内外縁に、前記縦枠材の外側、内側を垂下しかつ該縦枠材の下端を越えて下に突出する突出部を有する外の垂下片、内の垂下片を設けた下解放のコ字状をなす結合金具、
前記内の垂下片、外の垂下片の間を前記突出部で跨る取付部に、前記ベッド本体よりも上に突出するガード本体部を連設したサイドガード部材、
及び前記取付部に係合して前記縦枠材の下面を押圧することにより前記取付部を前記結合金具を介して縦枠材に固定しサイドガード部材をベッド本体に固定する固定具からなるベッド用のサイドガード装置。
【請求項２】
前記取付部は、前記外の垂下片に形成した孔部を通りかつネジ手段を用いて前記内の垂下片に固着されることを特徴とする請求項１記載のベッド用のサイドガード装置。
【請求項３】
前記取付部は、前記孔部を通り内の垂下片に当接する基部と、その先端に突設され該内の垂下片を貫通するネジ軸と、このネジ軸に螺着することにより前記基部との間で前記内の垂下片を挟着しうるナットとからなることを特徴とする請求項２記載のベッド用のサイドガード装置。
【請求項４】
前記取付部は、前記孔部を通り内の垂下片に当接するとともにその先端にナットを固着した基部と、前記内の垂下片を貫通し前記ナットに螺入することにより前記基部との間で前記内の垂下片を挟着しうるネジ金具とからなることを特徴とする請求項２記載のベッド用のサイドガード装置。
【請求項５】
前記固定具は、前記取付部に螺合しかつ螺入により前記縦枠材の下面を押圧してサイドガード部材をベッド本体に固定するネジ金具からなることを特徴とする請求項１〜４のいずれかに記載のベッド用のサイドガード装置。
【請求項６】
前記サイドガード部材は、扁平略逆Ｕ字状に屈曲するガード本体部の両端部に、内方に折れ曲がり前記取付部を端部に形成する水平部を具えたことを特徴とする請求項１〜５のいずれかに記載のベッド用のサイドガード装置。
【発明の詳細な説明】
【０００１】
【発明の属する技術分野】
本発明は、寝具のずれ落ちを防止しできかつ取り付け容易なベッド用のサイドガード装置に関する。
【０００２】
【従来の技術及び発明が解決しようとする課題】
例えば図１に示すように、寝具を載置するベッド本体Ｂａの例えば両側部に、該ベッド本体Ｂａよりも上に突出することにより寝具のずれを防止するサイドガード装置Ｇが設けられることがある（なお図１は本発明の実施形態を示す図であるが、サイドガード装置の取付部分を除いた構成は従来とほぼ同様であるため便宜上この図を用いて説明する）。
【０００３】
このサイドガード装置Ｇは、ベッド本体Ｂａに取り付けされてベッドＢと共に販売されるのが一般的ではあるが、近年では、ベッドＢのみを購入した後に前記サイドガード装置Ｇの取り付けを希望するユーザが増えつつある。また各種のベッドに容易に取り付け、取り外ししうる汎用性の高いサイドガード装置Ｇがあればメーカないしユーザの双方にとって大変便利となる。
【０００４】
本発明は、以上のような問題点に鑑み案出なされたもので、ベッドに取り付け、取り外しが容易でかつ汎用性の高いベッド用のサイドガード装置を提供することを目的としている。
【０００５】
【課題を解決するための手段】
本発明のうち請求項１記載の発明は、寝具を載置するベッド本体の少なくとも一方の側部に取り付けられ、該ベッド本体よりも上に突出することにより前記寝具のずれを防止するベッド用のサイドガード装置であって、前記ベッド本体の側部に配されベッド長さ方向にのびる縦枠材の上面に載置される基片の内外縁に、前記縦枠材の外側、内側を垂下しかつ該縦枠材の下端を越えて下に突出する突出部を有する外の垂下片、内の垂下片を設けた下解放のコ字状をなす結合金具、前記内の垂下片、外の垂下片の間を前記突出部で跨る取付部に、前記ベッド本体よりも上に突出するガード本体部を連設したサイドガード部材、及び前記取付部に係合して前記縦枠材の下面を押圧することにより前記取付部を前記結合金具を介して縦枠材に固定しサイドガード部材をベッド本体に固定する固定具からなるベッド用のサイドガード装置である。
【０００６】
また請求項２記載の発明は、前記取付部は、前記外の垂下片に形成した孔部を通りかつネジ手段を用いて前記内の垂下片に固着されることを特徴とする請求項１記載のベッド用のサイドガード装置である。
【０００７】
また請求項３記載の発明は、前記取付部は、前記孔部を通り内の垂下片に当接する基部と、その先端に突設され該内の垂下片を貫通するネジ軸と、このネジ軸に螺着することにより前記基部との間で前記内の垂下片を挟着しうるナットとからなることを特徴とする請求項２記載のベッド用のサイドガード装置である。
【０００８】
また請求項４記載の発明は、前記取付部は、前記孔部を通り内の垂下片に当接するとともにその先端にナットを固着した基部と、前記内の垂下片を貫通し前記ナットに螺入することにより前記基部との間で前記内の垂下片を挟着しうるネジ金具とからなることを特徴とする請求項２記載のベッド用のサイドガード装置である。
【０００９】
また請求項５記載の発明は、前記固定具は、前記取付部に螺合しかつ螺入により前記縦枠材の下面を押圧してサイドガード部材をベッド本体に固定するネジ金具からなることを特徴とする請求項１〜４のいずれかに記載のベッド用のサイドガード装置である。
【００１０】
また請求項６記載の発明は、前記サイドガード部材は、扁平略逆Ｕ字状に屈曲するガード本体部の両端部に、内方に折れ曲がり前記取付部を端部に形成する水平部を具えたことを特徴とする請求項１〜５のいずれかに記載のベッド用のサイドガード装置である。
【００１１】
【発明の実施の形態】
以下本発明の実施の一形態を図面に基づき説明する。
図１はサイドガード装置Ｇを取り付けたベッドＢの斜視図、図２はその平面図、図３はサイドガード装置の分解斜視図、図４はその取付状態を示す断面図である。図において、本実施形態のサイドガード装置Ｇは、図示しない掛け布団、ブランケットといった寝具を載置するベッド本体Ｂａの少なくとも一方の側部に取り付けられ、該ベッド本体Ｂａよりも上に突出することにより、前記寝具のずれを防止しうるものである。
【００１２】
本例のベッドＢは、寝台部分を構成する前記ベッド本体Ｂａに、例えば頭部側に立設された飾り板Ｂｂなどを付設して構成されたものを示している。前記ベッド本体Ｂａは、例えばマットレスＭからなるクッション材Ｃと、このクッション材Ｃを上面に配するベッドフレームＦとを具える。ベッドフレームＦは、図２に示す如く、内の矩形枠２と、この内の矩形枠２の外周面との間に小隙間を介してかつ固着具４により該内の矩形枠２に一体に取り付けされた外の矩形枠３とからなるものが例示されている。
【００１３】
前記内の矩形枠２は、例えばベッド本体Ｂａの両側部に配されかつベッド長さ方向にのびる例えば断面矩形の鋼製パイプ材からなる内の縦枠材２ａ、２ａと、その端部間を継ぐ内の横枠材２ｂ、２ｂとで矩形の枠組みを構成するとともに、その矩形枠内に縦、横にのびる補強枠２ｃ、２ｄを配して構成されている。
【００１４】
また前記外の矩形枠３は、本例では外表面を化粧仕上げされた木質材からなり、ベッド本体Ｂａの両側部に配されかつベッド長さ方向にのびる外の縦枠材３ａ、３ａと、その端部間を継ぐ外の横枠材３ｂ、３ｂとを矩形に接合して形成されている。またこの外の矩形枠３の前記縦枠材３ａは、図１、図４に示すように、高さ方向に沿う巾を比較的大とした板材からなり、前記内の縦枠材２ａを覆うことにより外部から前記内の縦枠材２ａを目隠しできベッドＢの美観を向上している。
【００１５】
そして、実質的に前記内の矩形枠２の上面に前記マットレスＭが載置され、本例ではこのマットレスＭの上面がベッド本体の上面をなす。なお前記ベッドフレームＦは、上記の形態に限定されるものではなく、例えば外の矩形枠３を省略することもでき、またクッション材Ｃには、マットレスＭに代えて、例えば内の縦枠材２ａ、２ａ間に複数の板材を架け渡すことにより弾性を発揮させうるウッドスプリング構造なども用いることができる。また図示していないが、内の矩形枠２を、例えばリクライニング機構を設けて起き上がり自在に構成しても良い。
【００１６】
本実施形態のサイドガード装置Ｇは、図３に例示する如く、結合金具５、サイドガード部材７及び固定具８から構成されている。
【００１７】
前記結合金具５は、図３、図４に示す如く、本例では前記内の縦枠材２ａの上面２Ｕに載置される略水平な基片５ａの内外縁に、前記内の縦枠材２ａの外側、内側を垂下する外の垂下片５ｂ、内の垂下片５ｃを設けた下解放のコ字状に形成される。前記外の垂下片５ｂ、内の垂下片５ｃは、本例では内の縦枠材２ａの外側面、内側面に沿って垂下するとともに、図４に示す如く、前記内の縦枠材２ａとの間に僅かな隙間を形成し遊嵌状態で装着しうるものを示す。
【００１８】
また前記外の垂下片５ｂ、内の垂下片５ｃは、前記基片５ａを前記縦枠材２ａに載置した装着状態において、それぞれ内の縦枠材２ａの下端を越えてさらに下に突出する突出部６、６を具えている。なお本例の突出部６は、図４に示す如く、前記外の縦枠材３ａの下端を越えてさらに下に突出する。また前記外の垂下片５ｂの前記突出部６には、前記外の縦枠材３ａの下端よりも下方の位置に孔部５ｄが、また前記内の垂下片５ｃには前記孔部よりも小径の小孔５ｅがそれぞれ形成されている。
【００１９】
前記サイドガード部材７は、本例では前記ベッド本体Ｂａよりも上（すなわち、マットレスＭの上面よりも上）に突出する部分を含むガード本体部７Ａと、このガード本体部７Ａの両端部にベッドＢの内方に向かって折れ曲がる水平部７Ｂとを具えるものが例示される。このように、ベッド本体Ｂａよりも上にガード本体部７Ａを突出させることにより、寝具のベッド巾方向の位置ずれなどを効果的に防止できる。またガード本体部７Ａは、例えばベッド使用者が起き上がる時等に手指にて掴むことが可能なグリップとしても用いることができ、ベッドの使い勝手を高めるのにも役立つ。このためガード本体部７Ａには、例えば把手時の滑り止めのためにスポンジ材Ｓなどを装着することが好ましい。
【００２０】
またサイドガード部材７は、前記水平部７Ｂを形成することにより、本実施形態のように、比較的ベッドＢの内側に寄せて配された内の縦枠材２ａにも容易に装着できる。なおこのサイドガード部材７は、本例では断面長円状をなす例えば鋼製のパイプ材を扁平略逆Ｕ字状に屈曲させることにより形成されている。
【００２１】
また前記サイドガード部材７の前記水平部７Ｂの端部は、ベッドの外方から、前記内の縦枠材２ａに装着された結合金具５の前記孔部５ｄに挿入され、前記内の垂下片５ｃ、外の垂下片５ｂの間を前記突出部６、６で跨って配される取付部９を形成している。
【００２２】
この取付部９は、前記外の垂下片５ｂに形成した前記孔部５ｄを通りかつネジ手段Ｎを用いて前記内の垂下片５ｃに固着されるものが例示される。本例の取付部９は、図４に示す如く、前記外の垂下片５ｂの孔部５ｄを通りかつ内の垂下片５ｃの内面に当接する基部９Ａと、その先端に突設され該内の垂下片５ｃを貫通するネジ軸９Ｂと、このネジ軸９Ｂに螺着することにより前記基部９Ａとの間で前記内の垂下片５ｃを挟着しうるナット９Ｃとから構成されている。なお内の垂下片５ｃに設けた小孔５ｅは、前記ネジ軸９Ｂは通過させるが、前記基部９Ａは通過できない径にて形成されている。
【００２３】
これにより前記取付部９と前記結合金具２とが連結されることにより、内の縦枠材２ａの外周を取り囲みしうる。この状態では、サイドガード部材７は、ベッド本体Ｂａに仮組みできるため例えば内の縦枠材２ａに沿ってベッドの長さ方向にスライドさせて位置合わせなどを容易に行うことができる。
【００２４】
また前記取付部９には、図４に示す如く、この取付部９を上下に貫通してのびる透孔１０が形成されている。該透孔１０は、前記取付部９を上下に貫通して配されたスリーブ１２の内孔と、その上端に溶着されたナット１３のネジ孔とが連通することにより形成されている。
【００２５】
また前記固定具８は、本例では前記取付部９の前記透孔１０に螺合しかつ螺入により前記内の縦枠材２ａの下面２Ｄを押圧してサイドガード部材Ｇをベッド本体Ｂａに固定しうるネジ金具１４からなるものが例示される。該ネジ金具１４は、例えばネジ軸１４ａと、このネジ軸１４ａの一端に形成されたハンドル部１４ｂとからなり、前記ネジ軸１４ａを前記取付部９に設けた前記透孔１０の下側から螺入しかつ工具を用いることなく前記ハンドル１４ｂを操作することにより、該ネジ軸１４ａの先端部を内の縦枠材２ａの下面２Ｄに押圧でき、取付部９を結合金具２を介して縦枠材２ａに固定しうる。すなわち、サイドガード部材７は、前記取付部９が結合金具５に固着されるとともに、結合金具が固定具により前記内の縦枠材２ａに固着される。これによりサイドガード部材７は、ベッド本体Ｂａに確実に固定できる。なお前記ナット９Ｃにも、上述のハンドル１４ｂと同様のものを固着し、ナット９Ｃの取付性を向上しても良い。
【００２６】
このように、本実施形態のベッド用のサイドガード装置Ｇは、ベッドＢの縦枠材２ａに、きわめて簡単に取り付けしうるとともに、このような縦枠材２ａを有する既存の種々のベッドにも容易に後から装着することができ、汎用性をも高めうる。
【００２７】
また本実施形態のように、ベッド本体Ｂａが、内の矩形枠２と、この内の縦枠材２ａを目隠しする外の矩形枠３とから構成されるような場合であっても、前記結合金具５の突出部６が前記外の矩形枠３の縦枠材３ａの下面をさらに下に越えて突出させているため、外の矩形枠３に邪魔されることなく内の矩形枠２にサイドガード部材７を取り付けしうる。これにより、サイドガード部材７と内の矩形枠２との取付部、とりわけ取付金具５などを外の矩形枠３を用いて覆い隠すことができ、ベッドの美観が損なわれるのを効果的に防止しうる。
【００２８】
また、上記実施形態では、縦枠材２ａは、断面矩形の枠材からなるものが例示されるが断面長円形のパイプ材等を用いても構成でき、この場合、結合金具５の基片の形状などもこれに合わせて湾曲させることもできる。
【００２９】
図５には、本発明の他の実施形態を例示している。
本実施形態では、前記取付部９は、前記孔部５ｄを通るとともにその先端にナット９Ｄを固着した基部９Ａと、前記内の垂下片５Ｃを貫通しかつ前記ナット９Ｄに螺入することにより前記基部９Ａとの間で前記内の垂下片５ｃを挟着しうるネジ金具９Ｅとからなるものが例示される。前記ナット９Ｄは、前記基部９Ａの先端に埋め込み状に溶着されている。またネジ金具９Ｅは、ネジ軸の一端にハンドル部を一体に形成しており、工具を用いることなく螺入しうるものが例示される。このような形態によっても、取付部９と結合金具５とを確実に固着できる。また、この例では、ネジ軸が外部に突出しないため、サイドガード部材７をベッド本体Ｂａに取り付ける際により安全に作業できる。
【００３０】
図６には、本発明のさらに他の実施形態を例示している。
この例では、結合金具５の外の垂下片５ｂ、内の垂下片５ｃのいずれにも前記取付部９を挿入しうる孔部５ｄ、５ｄを設けたものを示す。従って、サイドガード部材７の取付部９は、前記孔部５ｄ、５ｄに挿入されて保持される。そして、前記ネジ金具１４を取付部９に螺入することにより、サイドガード部材７をベッド本体Ｂａに固定できる。このとき、前記外の垂下片５ｂ、内の垂下片５ｃの内面間の距離を前記縦枠材２ａの巾に略等しく設定するのが好ましい。
【００３１】
【発明の効果】
上述したように、本発明のサイドガード装置は、ベッド本体の側部に配された縦枠材に下解放のコ字状をなす結合金具を装着し、この結合金具の内の垂下片、外の垂下片の間にサイドガード部材の取付部を跨らせ、かつ固定具によりサイドガード部材の取付部に係合して縦枠材の下面を押圧することにより該取付部を前記結合金具を介して縦枠材に固定しサイドガード部材をベッド本体に固定しうる。従って、ベッド等を分解することなく、サイドガード部材をベッドの縦枠材に、きわめて簡単に取り付けでき、また縦枠材を有する既存の種々のベッドにも装着しうるなど汎用性をも高めうる。
【００３２】
また請求項２記載の発明の如く、前記取付部は、前記外の垂下片に形成した孔部を通りかつネジ手段を用いて前記内の垂下片に固着されることにより、より確実にサイドガード部材をベッド本体に取り付けできる。
【００３３】
また請求項３記載の発明のように、前記取付部は、前記孔部を通り内の垂下片に当接する基部と、その先端に突設され該内の垂下片を貫通するネジ軸と、このネジ軸に螺着することにより前記基部との間で前記内の垂下片を挟着しうるナットとからなるときには、取付部と結合金具との結合をより強固かつ確実に行ないうる。
【００３４】
また請求項４記載の発明の如く、前記取付部は、前記孔部を通り内の垂下片に当接する基部と、その先端に固着されたナットと、このナットに螺入することにより前記基部との間で前記内の垂下片を挟着しうるネジ金具とからなるときには、取付部と結合金具との結合をより強固かつ確実に行ないうる。
【００３５】
また請求項５記載の発明の如く、前記固定具は、前記取付部に螺合しかつ螺入により前記縦枠材の下面を押圧してサイドガード部材をベッド本体に固定するネジ金具からなるときには、このネジ金具の螺入によりサイドガード部材をベッド本体に容易に取り付けでき作業性を向上できる。
【００３６】
また請求項６記載の発明のように、前記サイドガード部材は、扁平略逆Ｕ字状に屈曲するガード本体部の両端部に、内方に折れ曲がり前記取付部を端部に形成する水平部を具えたことにより、ベッドの中心寄りに配された縦枠材にも容易に装着できる。
【図面の簡単な説明】
【図１】本発明の実施形態を示すベッドの斜視図である。
【図２】その平面図である。
【図３】本実施形態のサイドガード装置の分解斜視図である。
【図４】サイドガード装置の取付状態を示す断面図である。
【図５】サイドガード装置の他の実施形態における取付状態を示す断面図である。
【図６】サイドガード装置のさらに他の実施形態における取付状態を示す断面図である。
【符号の説明】
２  内の矩形枠
２ａ  内の縦枠材
３  外の矩形枠
５  結合金具
５ａ  基片
５ｂ  外の垂下片
５ｃ  内の垂下片
５ｄ  孔部
５ｅ  小孔
６  固定具
７  サイドガード部材
７Ａ  ガード本体部
７Ｂ  水平部
９  取付部
９Ａ  基部
９Ｂ  ネジ軸
９Ｃ  ナット
９Ｄ  ナット
９Ｅ  ネジ金具
１４  ネジ金具
Ｇ  サイドガード装置
Ｂ  ベッド
Ｂａ  ベッド本体
Ｎ  ネジ手段
【図１】
0003867120.tif 000002
【図２】
0003867120.tif 000003
【図３】
0003867120.tif 000004
【図４】
0003867120.tif 000005
【図５】
0003867120.tif 000006
【図６】
0003867120.tif 000007